(57)【要約】      （修正有）【課題】身体冷却用保冷剤を使用者の体形に合わせ形成もしくは、自由に形状を変化させることができるよう保冷剤を冷凍させる際に使用する身体冷却用保冷剤専用冷凍補助具を提供する。【解決手段】身体冷却用保冷剤専用冷凍補助具に緩やかな湾曲加工を施し、補助具を用いて保冷剤を冷凍させことで、保冷剤自体が低温状態で凝固した際に湾曲した状態で形成される。もしくは、保冷剤の中央部をクリップ状の補助具で挟み、その状態で冷凍させ、凝固時に２分割となるようにする。【選択図】図１
0003142731.tif 000002
【実用新案登録請求の範囲】
【請求項１】
身体冷却用保冷剤を冷凍庫で凍らせる際、保冷剤が緩やかな湾曲をえがいた状態で凝固するよう湾曲に加工させた器具になっていることを特徴とする身体冷却用保冷剤専用冷凍補助具。
【請求項２】
請求項１において、専用補助具の寸法は、縦７０〜１５０ｍｍで、横１５０〜３００ｍｍで、厚さが１０〜３０ｍｍの正方形、長方形であって、また、専用補助具自体に２°〜１５°の緩やかな湾曲加工が施されていることを特徴とする身体冷却用保冷剤専用冷凍補助具。
【請求項３】
身体冷却用保冷剤の中央部を挟み２分割させるために、長さ１００〜２００ｍｍ、幅１０〜２０ｍｍ、厚さ１０〜２０ｍｍのクリップ形状の挟み具であることを特徴とする身体冷却用保冷剤専用冷凍補助具。
【請求項４】
正方形もしくは長方形状の箱に中央部にかけ盛り上がるよう成形された中敷きを置き、その上に身体冷却用保冷剤を乗せて冷凍し、保冷剤を湾曲した状態の中敷きの形に沿わせて使用することができることを特徴とした身体冷却用保冷剤専用冷凍補助具。
【請求項５】
請求項４において、身体冷却用保冷剤専用冷凍補助具は、幾層にも重ねることができるよう縦７０〜１５０ｍｍ、横１５０〜３００ｍｍ、高さ２０〜１００ｍｍで、低温にも耐久性のあるプラスチックを使用することを特徴とする身体冷却用保冷剤専用冷凍補助具。
【考案の詳細な説明】
【技術分野】
【０００１】
本考案は、身体冷却用保冷剤を凍らせた際に、湾曲や分割した状態で凝固させることを目的とした身体冷却用保冷剤専用冷凍補助具に関するものである。
【背景技術】
【０００２】
現在市販されている保冷剤は低温になると凝固し、使用者の体形に合わせ形状を自由に変形させることが困難である。例えば、小袋入保冷剤を連結し、シート状にした保冷剤では、使用者が自分で形や大きさを容易に加工することが出来、また、曲面に密着しやすい様にすることを目的としているため、小袋に収められている。そのため、保冷剤の容量は少量となる。ゆえに、身体を長時間冷却することを目的とした容量が１５０〜５００ｇの身体冷却用保冷剤を湾曲、もしくは分割させるために使用する本考案とは使用目的が異なる。（特許文献１参照）また、身体屈曲部等に円滑に適合し、且つ装着時においても身体屈曲部が動かし易い身体保冷具はあるが、あくまでも保冷剤を使用した保冷具であり、こちらも保冷剤自体の形状を変形させる本考案とは目的が違う。（特許文献２参照）
【特許文献１】特開平１０−２３１４７４号
【特許文献２】特開２００１−１７８７６３号
【考案の開示】
【考案が解決しようとする課題】
【０００３】
身体を冷却する方法として保冷剤を使用する際、従来の保冷剤では冷凍時に硬く凝固し、使用者の体形に合わせて形状を変化させることができず、また、身体との接触面に低温時の凝固状態が原因となり、硬くゴツゴツとした違和感が生じるなどの問題があった。それゆえに、本考案の主たる目的は、使用者の体形に合わせ自由に形状を変えることができ、また、装着時の違和感を無くし、より快適に効率よく身体を冷却することのできるように、身体冷却用保冷剤が低温の凝固時に湾曲した状態もしくは、２分割された状態にするために使用する身体冷却用保冷剤専用冷凍補助具を提供することである。
【課題を解決するための手段】
【０００４】
低温時の凝固した状態で身体に沿うよう保冷剤が湾曲した状態もしくは、２〜３分割された状態にすることができる身体冷却用保冷剤専用冷凍補助具である。
身体冷却用保冷剤専用冷凍補助具は、縦７０〜１５０ｍｍで、横１５０〜３００ｍｍ、厚さが１０〜３０ｍｍの正方形、長方形状であって、２°〜１５°の緩やかな湾曲加工が施されているもしくは、長さ１００〜２００ｍｍ、幅１０〜２０ｍｍ、厚さ１０〜２０ｍｍのクリップ形状に形成されている。
身体冷却用保冷剤専用冷凍補助具の素材としては、低温時にも耐久性のあるプラスチックや木材等を使用する。
【０００５】
本考案において、身体冷却用保冷剤専用冷凍補助具の素材には、低温時でも耐久性があり、また加工もしやすい木製、可塑性のプラスチック、紙、樹脂等を使用することが好ましい。
【０００６】
本考案において、身体冷却用保冷剤専用冷凍補助具が空洞状の箱型に形成され、その内側に保冷剤を収納し、冷凍させることが好ましい。この場合には補助具に２〜１５°のカーブがつけられており、冷凍完了時に保冷剤を取り出すとカーブした状態で凝固させることができ好ましい。
【０００７】
本考案において、保冷剤を２〜３分割させるためにクリップ形状等の用具を使用することも好ましい。その際にクリップ形状の用具は、長さ１００〜２００ｍｍ、幅１０〜２０ｍｍ、厚さ１０〜２０ｍｍ程度のものが良く、保冷剤の中央部を上下から挟むように押さえ、その状態で冷凍させる。冷凍が完了したら、用具を取り外す。そうすることにより、冷凍による凝固した状態で保冷剤が２〜３分割され好ましい。
【０００８】
本考案において、保冷剤を冷凍する際に専用の補助具を使用し、その内側に保冷剤を収納した状態で冷凍する。この場合に補助具は、緩やかな湾曲に加工されており、冷凍完了時に保冷剤を取り出すと、保冷剤自体の形状が緩やかな湾曲を描いた状態で冷凍されている。
【０００９】
また、本考案において、正方形もしくは長方形状の籠型の補助具に中央部にかけ盛り上がるよう成形された中敷きを置き、その上に身体冷却用保冷剤を乗せて１０時間ほど冷凍させると、保冷剤が中敷きの形に沿って保冷剤が凝固するので、使用するときには湾曲した状態にできる好ましい。また、同じように加工された中敷きを重ねていくことで、複数の保冷剤を一度に冷凍させることができるので、より好ましい。
【考案の効果】
【００１０】
本考案の補助具を使用すれば、低温時の凝固した状態での保冷剤の形状を自在に成形させることができるので、装着時にフィット感があり、しかも、凝固時の硬さが原因となる、ゴツゴツとした違和感も無く快適に使用可能な保冷剤とすることができる。また、保冷剤を低温状態にするために冷凍庫に入れる際、保冷剤の形状を整えるため、平な場所を確保する必要が無くなり、冷凍庫の空間を効率よく使用することが可能となり、使用者の使い勝手を向上させ、より効率のよい保冷剤を提供することができる。
【考案を実施するための最良の形態】
【００１１】
保冷剤の形状を自在に成形させるために専用の冷凍補助具を使用し、冷凍させる。
その結果、冷凍完了時に補助具を取り外すと、保冷剤の形状を使用する際に適した状態で、凝固させることができる。
【実施例１】
【００１２】
この図１で示す身体冷却用保冷剤専用冷凍補助具は、縦１１０ｍｍ、横１９０ｍｍ、厚さ２０ｍｍの長方形の内部が空洞になった箱状に形成されており、空洞状の内部に、身体冷却用保冷剤を収納し冷凍させる。補助具自体に中央部のA点を通過する水平な線Bを基準とした場合、A点より９５ｍｍ離れた補助具の端C点が基準線Bより１０ｍｍ下になる様に湾曲加工を施しているので、冷凍後の身体冷却用保冷剤を湾曲した状態に形成ができる。また、その素材には、低温時でも耐久性があり、また加工もしやすい可塑性のプラスチックを使用した。その結果、保冷剤が湾曲になっているので、背負い式保冷具に挿入し装着したところ、身体の体形に沿った状態になり、装着感や密着感が向上した。
【実施例２】
【００１３】
図２に示すクリップ形状用具は、長さ１２０ｍｍ、幅１０ｍｍ、厚さ１０ｍｍで、洗濯バサミのような形状に形成した。また、その素材には、低温に強くしかも加工のしやすいプラスチックを使用した。常温状態の流動性の高い状態の保冷剤の中央部に上下から挟みこむように取り付け、その状態のまま冷凍する。その結果、冷凍が完了した時点で、用具を取り外すと保冷剤が２分割された状態となり、中央部より屈曲が自由にできる保冷剤となった。背負い式保冷具に挿入し背中上部に装着したところ、運動による身体の変化に合わせ、自在に屈曲するので、装着性の向上につながった。
【実施例３】
【００１４】
図３に示す籠状の用具は、縦１２０ｍｍで、横２２０ｍｍ、高さが４０ｍｍで、長方形の形状をしている。籠の中に中央部にかけ盛り上がった状態に形成された中敷きA’を敷く。また、その素材には、低温に強くしかも加工のしやすいプラスチックを使用した。常温状態の流動性の高い状態の保冷剤を中敷きの上に置き、その状態のまま冷凍する。その結果、冷凍が完了した際、保冷剤が中央部にかけ盛り上がり、湾曲した状態となった。また、中敷きを重ねることで、籠状の用具に数個の保冷剤をまとめて収納させることが出来、一度で大量に、しかも同じ型の保冷剤を形成することも可能だということも確認できた。図３の器具を使い冷凍させた保冷剤を背負い式保冷具に挿入し使用したところ、湾曲しているので、背中の曲面に沿うように装着でき、装着性の向上が確認できた。
【図面の簡単な説明】
【００１５】
【図１】箱型身体冷却用保冷剤専用冷凍補助具
【図２】クリップ形状型身体冷却用保冷剤専用冷凍補助具
【図３】籠型身体冷却用保冷剤専用冷凍補助具
【符号の説明】
【００１６】
A．補助具中央点
B．基準線
C．補助具の端
A’．中敷き
【図１】
0003142731.tif 000003
【図２】
0003142731.tif 000004
【図３】
0003142731.tif 000005